(57)【特許請求の範囲】
【請求項１】
複数のガスセンサに各別にガスを供給するガス供給アダプタであって、
ガスを流入させるガス流入部と、
ガスを排出させるガス排出部と、
前記ガス流入部と前記ガス排出部との間でガスを通流させるガス流通路と、を備え、
前記ガス流通路は、前記ガス流入部から前記ガス排出部に向かう流通路を形成する主流通路と、前記ガスセンサに対向する向きに開口する複数のガス供給口とそれぞれ連通する副流通路と、前記主流通路を前記主流通路と前記副流通路とに分岐する複数の分岐部と、を備え、
前記分岐部は、少なくとも、当該分岐部から延びる前記主流通路が当該分岐部へのガスの流入方向と異なる方向に延び、且つ、当該分岐部から延びる前記副流通路が当該分岐部へのガスの流入方向と同じ方向に延びる状態で、前記主流通路を分岐する第１分岐部と、当該分岐部から延びる前記主流通路及び前記副流通路がそれぞれ当該分岐部へのガスの流入方向と異なる方向に延びる状態で、前記主流通路を分岐する第２分岐部と、を備えるガス供給アダプタ。
【請求項２】
前記第２分岐部から分岐する前記主流通路の断面積と前記副流通路の断面積とでは、前記副流通路の断面積の方が小さく形成されている請求項１に記載のガス供給アダプタ。
【請求項３】
前記第１分岐部から分岐する前記主流通路の断面積と前記副流通路の断面積とでは、前記副流通路の断面積の方が大きく形成されている請求項１又は２に記載のガス供給アダプタ。
【請求項４】
前記第１分岐部から分岐する前記副流通路の断面積と前記第２分岐部から分岐する前記副流通路の断面積とでは、前記第２分岐部から分岐する前記副流通路の断面積の方が小さく形成されている請求項１〜３のいずれか一項に記載のガス供給アダプタ。
【請求項５】
前記第１分岐部から延びる前記主流通路は、前記第１分岐部へのガスの流入方向と垂直な方向に延び、
前記第２分岐部は、前記第１分岐部から延びる前記主流通路を分岐するものであり、且つ、前記第２分岐部から延びる前記副流通路は前記第１分岐部へのガスの流入方向と同じ方向に延びる請求項１〜４のいずれか一項に記載のガス供給アダプタ。
【発明の詳細な説明】
【技術分野】
【０００１】
本発明は、複数のガスセンサに各別にガスを供給するガス供給アダプタに関する。
【背景技術】
【０００２】
特許３８３９３２５号公報（特許文献１）には、ガス供給口からガス排出口までをつなぐ主ガス流通路と、主ガス流通路から分岐した、複数のガスセンサに各別にガスを供給する分岐ガス流通路と、を備えたガス供給アダプタが記載されている。
【０００３】
ガスセンサの種類によっては、供給されるガスの量によって検知するガス濃度が変わりやすいものがあるなどガス量に対する特性が異なり、用いるガスセンサの種類によっては個々のガス量に対する特性に合わせた形態でガスを供給する必要がある。しかし、特許文献１のガス供給アダプタは各分岐ガス流通路がすべて同一の形状で設けられているため、供給するガス量などのガスの供給形態をガスセンサの種類ごとに異ならせることができるものではなかった。
【先行技術文献】
【特許文献】
【０００４】
【特許文献１】特許３８３９３２５号公報
【発明の概要】
【発明が解決しようとする課題】
【０００５】
ガスセンサの種類に応じた適切な量のガスを供給可能なガス供給アダプタの実現が望まれる。
【課題を解決するための手段】
【０００６】
本発明に係るガス供給アダプタは、
複数のガスセンサに各別にガスを供給するガス供給アダプタであって、
ガスを流入させるガス流入部と、
ガスを排出させるガス排出部と、
前記ガス流入部と前記ガス排出部との間でガスを通流させるガス流通路と、を備え、
前記ガス流通路は、前記ガス流入部から前記ガス排出部に向かう流通路を形成する主流通路と、前記ガスセンサに対向する向きに開口する複数のガス供給口とそれぞれ連通する副流通路と、前記主流通路を前記主流通路と前記副流通路とに分岐する複数の分岐部と、を備え、
前記分岐部は、少なくとも、当該分岐部から延びる前記主流通路が当該分岐部へのガスの流入方向と異なる方向に延び、且つ、当該分岐部から延びる前記副流通路が当該分岐部へのガスの流入方向と同じ方向に延びる状態で、前記主流通路を分岐する第１分岐部と、当該分岐部から延びる前記主流通路及び前記副流通路がそれぞれ当該分岐部へのガスの流入方向と異なる方向に延びる状態で、前記主流通路を分岐する第２分岐部と、を備える。
【０００７】
この構成によれば、第１分岐部から延びる副流通路については、第１分岐部へのガスの流入方向と同じ方向に延びるため、流れが曲げられることなくそのまま副流通路にガスが流れることになり、その結果、これに連通するガス供給口から供給されるガスの量が多くなる。一方、第２分岐部から延びる副流通路については、第２分岐部へのガスの流入方向と異なる方向に延びるため、副流通路に至るガスの流れが屈曲させられ、またこれにより流れの乱れが生じることになり、その結果、第１分岐部における場合と比べ、これに連通するガス供給口から供給されるガスの量が少なくなる。このように、この構成によれば、第１分岐部と第２分岐部との異なる種類の分岐部を設けることによりそれにつながるガス供給口からのガス量を変えることができるため、ガスセンサの種類に応じた適切な量のガスを供給することが可能になる。
【０００８】
１つの態様として、前記第２分岐部から分岐する前記主流通路の断面積と前記副流通路の断面積とでは、前記副流通路の断面積の方が小さく形成されていると好適である。
【０００９】
この構成によれば、第２分岐部から延びる主流通路と副流通路とでは副流通路に分配されるガスの量が少なくなるため、第２分岐部から延びる副流通路からのガス量をより少なくできる。
【００１０】
１つの態様として、前記第１分岐部から分岐する前記主流通路の断面積と前記副流通路の断面積とでは、前記副流通路の断面積の方が大きく形成されていると好適である。
【００１１】
これにより、第１分岐部から延びる主流通路と副流通路とでは副流通路に分配されるガスの量が多くなるため、第１分岐部から延びる副流通路からのガス量をより多くできる。
【００１２】
１つの態様として、前記第１分岐部から分岐する前記副流通路の断面積と前記第２分岐部から分岐する前記副流通路の断面積とでは、前記第２分岐部から分岐する前記副流通路の断面積の方が小さく形成されていると好適である。
【００１３】
この構成によれば、第１分岐部から延びる副流通路と第２分岐部から延びる副流通路とでは後者の方が流れるガスの量が少なくなるため、第２分岐部から延びる副流通路からのガス量をより少なくできる。
【００１４】
１つの態様として、前記第１分岐部から延びる前記主流通路は、前記第１分岐部へのガスの流入方向と垂直な方向に延び、前記第２分岐部は、前記第１分岐部から延びる前記主流通路を分岐するものであり、且つ、前記第２分岐部から延びる前記副流通路は前記第１分岐部へのガスの流入方向と同じ方向に延びると好適である。
【００１５】
この構成によれば、第１分岐部から延びる副流通路と第２分岐部から延びる副流通路とが隣接して同じ方向を向いた状態となるため、これらに対応するガスセンサも隣接して並設されたものとすることができ、警報器の構造の簡素化、コンパクト化が可能となる。
【図面の簡単な説明】
【００１６】
【図１】ガス供給アダプタを装着した警報器の斜視図
【図２】警報器及びガス供給アダプタの分解斜視図
【図３】ケース部の正面図
【図４】中間プレートの正面図
【図５】底部プレートの正面図
【図６】ガス供給アダプタの流路を示す図
【図７】ガス供給アダプタを装着した警報器の部分断面図
【発明を実施するための形態】
【００１７】
本発明に係るガス供給アダプタ２０について、図面を参照して説明する。本実施形態に係るガス供給アダプタ２０は、複数のガスセンサ１２ａ〜１２ｄに各別にガスを供給するガス供給アダプタ２０である。ガス供給アダプタ２０は、ガスを流入させるガス流入部５１と、ガスを排出させるガス排出部５２と、ガス流入部５１とガス排出部５２との間でガスを通流させるガス流通路６０と、を備える。そして、ガス流通路６０は、ガス流入部５１からガス排出部５２に向かう流通路を形成する主流通路７０と、ガスセンサ１２ａ〜１２ｄに対向する向きに開口する複数のガス供給口３１ａ〜３１ｄとそれぞれ連通する副流通路８０と、主流通路７０を主流通路７０と副流通路８０とに分岐する複数の分岐部Ｓ１〜Ｓ４と、を備える。さらに、分岐部Ｓ１〜Ｓ４は、少なくとも、当該分岐部から延びる主流通路７０が当該分岐部へのガスの流入方向と異なる方向に延び、且つ、当該分岐部から延びる副流通路８０が当該分岐部へのガスの流入方向と同じ方向に延びる状態で、主流通路７０を分岐する第１分岐部Ｓ１，Ｓ４と、当該分岐部から延びる主流通路７０及び副流通路８１がそれぞれ当該分岐部へのガスの流入方向と異なる方向に延びる状態で、主流通路７０を分岐する第２分岐部Ｓ２，Ｓ３と、を備える。これにより、第１分岐部Ｓ１，Ｓ４と第２分岐部Ｓ２，Ｓ３とによりガスの供給形態を変えることができるため、ガスセンサの種類に応じた適切な量のガスを供給できる。以下、本実施形態に係るガス供給アダプタ２０について、詳細に説明する。
【００１８】
本実施形態に係るガス供給アダプタは、図１，２に示すように、複数のガスセンサ（本実施形態では４つ）１２ａ〜１２ｄを備えた警報器１０に装着され、警報器１０の複数のガスセンサ１２ａ〜１２ｄに各別にガスを供給するものである。
【００１９】
警報器１０は、警報器本体１１と、警報器本体１１の下部に設けられたセンサ部１２と、センサ部１２を収容するセンサカバー１３と、を備える。警報器本体１１は、センサ部１２が検出する各種ガスの濃度を演算し、ガス濃度が所定値を上回っているときに警報を発報可能に構成されている。センサ部１２には４つのガスセンサ１２ａ〜１２ｄが一方向に並んで設けられており、具体的には、酸素を検知する酸素センサ１２ａ、硫化水素を検知する硫化水素センサ１２ｂ、ＣＯを検知するＣＯセンサ１２ｃ、可燃性ガスを検知する可燃性ガスセンサ１２ｄの順に並んでいる。可燃性ガスセンサ１２ｄ用の回路と他の回路との間には仕様上一定の間隔を設ける必要があるところ、本実施形態では、可燃性ガスセンサ１２ｄを端に設けることにより、仕様上必要となる間隔をその回路の片方側にのみ設ければよいようにしてある。これにより、回路の両側に間隔を設ける場合に比べ、コンパクト化を達成できる。
【００２０】
ガス供給アダプタ２０は、センサ部１２及びセンサカバー１３を収容するケース部３０と、ガスの流路の一部を形成する中間プレート４０と、対象ガスの流入と排出が行われる底部プレート５０と、を備える。
【００２１】
図２，３に示すように、ケース部３０は、その底部にガスセンサ１２ａ〜１２ｄに対向する向きに開口する複数の（本実施形態では４つの）ガス供給口３１ａ〜３１ｄが形成されている。硫化水素センサ１２ｂ及びＣＯセンサ１２ｃに対応するガス供給口３１ｂ，３１ｃは、酸素センサ１２ａ及び可燃ガスセンサ１２ｄに対応するガス供給口３１ａ，３１ｄに比べ、開口面積が小さく形成されている。各ガス供給口３１ａ〜３１ｄの外側にはＯリング３２が設けられており、このＯリング３２によって、ガス供給アダプタ２０に警報器１０が装着されたときに、各ガスセンサ１２ａ〜１２ｄと各ガス供給口３１ａ〜３１ｄとの間を密閉可能になっている。また、ケース部３０はその外側面に左右一対の抜け止め部材３３が設けられており、この抜け止め部材３３により警報器１０を固定可能になっている。
【００２２】
図２，４に示すように、中間プレート４０には、ガス供給口３１ａ〜３１ｄ（ガスセンサ１２ａ〜１２ｄ）にそれぞれ対応する位置に貫通孔４１ａ〜４１ｄが形成されている。また、中間プレート４０には、一方側（図４における右側）の２つの貫通孔４１ａ，４１ｂの間をつなぐ溝状の連通部４２が形成される状態で貫通孔４１ａ，４１ｂを囲む囲い部４３が形成されているとともに、他方側（図４における左側）の２つの貫通孔４１ｃ，４１ｄの間をつなぐ溝状の連通部４４が形成される状態で貫通孔４１ｃ，４１ｄを囲む囲い部４５が形成されている。囲い部４３，４５の外側にはＯリング４６が設けられており、Ｏリング４６によって、ケース部３０の下側に中間プレート４０を配置したときに、ガス供給口３１ａ，３１ｂと貫通孔４１ａ，４１ｂと連通部４２とが密閉可能であり、ガス供給口３１ｃ，３１ｄと貫通孔４１ｃ，４１ｄと連通部４４とが密閉可能になっている。
【００２３】
図１，２，６，７に示すように、底部プレート５０は、ガスを流入させるガス流入部としての流入用プラグ５１と、ガスを排出させるガス排出部としての排出用プラグ５２と、を備える。そして、図２，５，６に示すように、底部プレート５０には、流入用プラグ５１と連通するガス流入口５３が貫通孔４１ａに対応する位置（即ちガス供給口３１ａ、酸素センサ１２ａに対応する位置）に形成されており、排出用プラグ５２と連通するガス排出口５４が貫通孔４１ｃに対応する位置（即ちガス供給口３１ｃ、ＣＯセンサ１２ｃに対応する位置）に形成されている。また、底部プレート５０には、ガス排出口５４を迂回する状態のＶ字状の囲い部５５が形成されている。囲い部５５は、一端が貫通孔４１ｂに対応する位置（即ちガス供給口３１ｂ、硫化水素センサ１２ｂに対応する位置）に、他端が貫通孔４１ｄに対応する位置（即ちガス供給口３１ｄ、可燃性ガスセンサ１２ｄに対応する位置）に形成されている。即ち、囲い部５５は、底部プレート５０上に中間プレート４０を配置したときに貫通孔４１ｂと貫通孔４１ｄとを連通状態にする連通部５６を形成する。なお、ガス流入口５３、ガス排出口５４、及び、囲い部５５の外側にはそれぞれＯリング５７が設けられており、Ｏリング５７によって、底部プレート５０上に中間プレート４０を配置したときに、貫通孔４１ａとガス流入口５３、貫通孔４１ｂとガス排出口５４、及び、貫通孔４１ｃ，４１ｄと連通部５６をそれぞれ密閉可能になっている。
【００２４】
このように構成することで、図７に示すように、ケース部３０、中間プレート４０、及び、底部プレート５０を所定位置で互いに組み付ければ、ガス供給口３１ａと貫通孔４１ａとガス流入口５３とが連通し、ガス供給口３１ｂと貫通孔４１ｂと連通部５６の一端とが連通し、ガス供給口３１ｃと貫通孔４１ｃとガス排出口５４とが連通し、ガス供給口３１ｄと貫通孔４１ｄと連通部５６の他端とが連通する状態を現出できる。さらにこの場合、ガス供給口３１ａと貫通孔４１ａとから形成される流路とガス供給口３１ｂと貫通孔４１ｂとから形成される流路とが連通部４２を介して連通する状態になる。また、貫通孔４１ｂと貫通孔４１ｄとが連通部５６を介して連通する状態となる。そして、ガス供給口３１ｄと貫通孔４１ｄとから形成される流路とガス供給口３１ｃと貫通孔４１ｃとから形成される流路とが連通部４４を介して連通する状態となっている。その結果、ガス供給アダプタ２０では、このような連通状態にあるガス供給口１２ａ〜１２ｄ、貫通孔４１ａ〜４１ｄ、連通部４２，４４、ガス流入口５３、ガス排出口５４、及び、連通部５６により、流入用プラグ５１と排出用プラグ５２との間でガスを通流させるガス流通路６０が形成されている。以下、このガス流通路６０について、図６，７を用いて説明する。
【００２５】
まず、流入用プラグ５１から流入したガスが、互いに連通するガス流入口５３と貫通孔４１ａとを通って流れる。そして、貫通孔４１ａを出たガスは、連通部４２の貫通孔４１ａ側の端部を分岐部Ｓ１として、ガス供給口３１ａ側と連通部４２側とに分岐して流れる。ガス供給口３１ａを通ったガスは酸素センサ１２ａに供給される。連通部４２を流れるガスは、連通部４２の貫通孔４１ｂ側の端部を分岐部Ｓ２として、ガス供給口３１ｂ側と貫通孔４１ｂ側とに分岐して流れ、ガス供給口３１ｂを通ったガスは硫化水素センサ１２ｂに供給される。貫通孔４１ｂを流れるガスは連通部５６に至り、連通部５６を通って貫通孔４１ｄまで流れる。貫通孔４１ｄを流れるガスは、連通部４４の貫通孔４１ｄ側の端部を分岐部Ｓ３として、ガス供給口３１ｄ側と連通部４４側とに分岐して流れる。ガス供給口３１ｄを通ったガスは可燃性ガスセンサ１２ｄに供給される。連通部４４を流れるガスは、連通部４４の貫通孔４１ｃ側の端部を分岐部Ｓ４として、ガス供給口３１ｃ側と貫通孔４１ｃ側とに分岐して流れ、ガス供給口３１ｃを通ったガスはＣＯセンサ１２ｃに供給される。貫通孔４１ｃを流れるガスはガス排出口５４に至り、ガス排出口５４を通って排出用プラグ５２から排出される。
【００２６】
このようなガス流通路６０を、流入用プラグ５１から排出用プラグ５２に向かう流通路を形成する主流通路７０と、ガス供給口３１ａ〜３１ｄと連通する副流通路８０，８１と、に分けるとすると、ガス流入口５３、貫通孔４１ａ、連通部４２、貫通孔４１ｂ、連通部５６、貫通孔４１ｃ、連通部４４、貫通孔４１ｄ、ガス排出口５４がこの順番で主流通路７０を形成し、分岐部Ｓ１〜Ｓ４からガス供給口３１ａ〜３１ｄに向かって延びる流路が副流通路８０，８１となっている。そして、分岐部Ｓ１〜Ｓ４は、その上流側の主流通路７０を、主流通路７０と副流通路８０，８１とに分岐するものとなっている。
【００２７】
そして、この分岐部Ｓ１〜Ｓ４のうち、連通部４２の貫通孔４１ａ側の端部である分岐部Ｓ１と連通部４４の貫通孔４１ｄ側の端部である分岐部Ｓ４については、当該分岐部Ｓ１，Ｓ４から延びる主流通路７０（連通部４２，４４が形成する流路）が当該分岐部Ｓ１，Ｓ４へのガスの流入方向（貫通孔４１ａ，４１ｄの開孔方向、図６では鉛直上向きの方向）と異なる方向（本実施形態では流入方向と垂直な方向、即ち水平方向）に延び、且つ、当該分岐部Ｓ１，Ｓ４から延びる副流通路８０（ガス供給口３１ａ，３１ｄに至る流路）が当該分岐部Ｓ１，Ｓ４へのガスの流入方向と同じ方向（図６では鉛直上向きの方向）に延びる状態で、主流通路７０（貫通孔４１ａ，４１ｄが形成する流路）を分岐している（第１分岐部に相当）。このように構成されることにより、分岐部Ｓ１，Ｓ４（第１分岐部）から延びる副流通路８０（ガス供給口３１ａ，３１ｄに至る流路）については、分岐部Ｓ１，Ｓ４（第１分岐部）へのガスの流入方向と同じ方向に延びるため、流れが曲げられることなくそのまま副流通路８０にガスが流れることになる。その結果、副流通路８０におけるガスの流量が多くなって、これに連通するガス供給口３１ａ，３１ｄから供給されるガスの量が多くなる。
【００２８】
これに対し、連通部４２の貫通孔４１ｂ側の端部である分岐部Ｓ２と連通部４４の貫通孔４１ｃ側の端部である分岐部Ｓ３については、当該分岐部Ｓ２，Ｓ３から延びる主流通路７０（貫通孔４１ｂ，４１ｃが形成する流路）及び副流通路８１（ガス供給口３１ｂ，３１ｃに至る流路）がそれぞれ当該分岐部Ｓ２，Ｓ３へのガスの流入方向（連通部４２，４４の延在方向、図６では水平方向）と異なる方向（本実施形態では主流通路７０が鉛直下向き方向で副流通路８１が鉛直上向き方向）に延びる状態で、主流通路７０（連通部４２，４４が形成する流路）を分岐している（第２分岐部に相当）。これにより、分岐部Ｓ２，Ｓ３（第２分岐部）から延びる副流通路８１については、分岐部Ｓ２，Ｓ３（第２分岐部）へのガスの流入方向と異なる方向に延びるため、副流通路８１に至るガスの流れが屈曲させられることになる。その結果、分岐部Ｓ１，Ｓ４（第１分岐部）における場合と比べ、副流通路８１におけるガスの流量が少なくなって、これに連通するガス供給口３１ｂ，３１ｃから供給されるガスの量が少なくなる。このように、異なる種類の分岐部Ｓ１〜Ｓ４を設けることによりガスの供給形態を変えることができるため、ガスセンサ１２ａ〜１２ｄの種類に応じた適切な流量のガスを供給することが可能になる。
【００２９】
また、本実施形態では、分岐部Ｓ２，Ｓ３（第２分岐部）は、分岐部Ｓ１，Ｓ４（第１分岐部）から延びる主流通路７０（連通部４２，４４が形成する流路）を分岐するものとなっている。また、分岐部Ｓ２，Ｓ３（第２分岐部）から延びる副流通路８１は分岐部Ｓ１，Ｓ４（第１分岐部）へのガスの流入方向、即ち、副流通路８０と同じ方向に延びたものとなっている。これにより、副流通路８０，８１が互いに隣接して同じ方向を向いた状態となるため、これらに対応するガスセンサ１２ａ〜１２ｄも隣接して並設されたものとすることができ、警報器１０の構造の簡素化、コンパクト化が可能となる。
【００３０】
また、図７に示すように、分岐部Ｓ２，Ｓ３（第２分岐部）から分岐する主流通路７０（貫通孔４１ｂ，４１ｃが形成する流路）の断面積と副流通路８１（分岐部からガス供給口３１ｂ，３１ｃに至る流路）の断面積とでは、副流通路８１の断面積の方が小さく形成されている。これにより、分岐部Ｓ２，Ｓ３（第２分岐部）から延びる主流通路７０と副流通路８１とでは副流通路８１に分配されるガスの量が少なくなるため、分岐部Ｓ２，Ｓ３（第２分岐部）から延びる副流通路８１からのガスの供給形態をより流量が少ない供給形態とできる。
【００３１】
そして、分岐部Ｓ１，Ｓ４（第１分岐部）から分岐する主流通路７０（貫通孔４１ａ，４１ｄが形成する流路）の断面積と副流通路８０（分岐部からガス供給口３１ａ，３１ｄに至る流路）の断面積とでは、副流通路８０の断面積の方が大きく形成されている。これにより、分岐部Ｓ１，Ｓ４（第１分岐部）から延びる主流通路７０と副流通路８０とでは副流通路８０に分配されるガスの量が大きくなるため、分岐部Ｓ１，Ｓ２（第１分岐部）から延びる副流通路８０からのガスの供給形態をより流量が多い供給形態とできる。
【００３２】
さらに、分岐部Ｓ１，Ｓ４（第１分岐部）から分岐する副流通路８０と分岐部Ｓ２，Ｓ３（第２分岐部）から分岐する副流通路８１の断面積とでは、分岐部Ｓ２，Ｓ３（第２分岐部）から分岐する副流通路８１の断面積の方が小さく形成されている。これにより、副流通路８０と副流通路８１とでは後者の方が分配されるガスの量が少なくなるため、分岐部Ｓ２，Ｓ３（第２分岐部）から延びる副流通路８１からのガスの供給形態をより流量が少ない供給形態とできる。
【００３３】
以上のような流路が形成されることにより、ガス供給口３１ａ，３１ｄから供給されるガスの量は多いものとなり、一方、ガス供給口３１ｂ，３１ｃから供給されるガスの量は少ないものとなる。特に、ガス供給口３１ｂ，３１ｃから供給されるガスの量は、上記の分岐部Ｓ２，Ｓ３の構成や各流路間の断面積の大小関係により、相当程度少ないものとなっている。このように、副流通路８１におけるガスの流量を少なくして、供給されるガス量を少なくすることで、ガス供給口３１ｂ，３１ｃから硫化水素センサ１２ｂとＣＯセンサ１２ｃの領域へは、例えばガスが拡散されるような形態でガスを供給させることができる。その結果、流入用プラグ５１から流入しガス供給アダプタ２０内を流れるガスの流量が時間変動したとしても、副流通路８１を流れガス供給口３１ｂ，３１ｃから供給されるガスは量が少ない分、その変動の幅も小さくでき、ある程度安定したガスの供給が可能となる。そして、本実施形態では、供給されるガスが高流量であることが望まれる酸素センサ１２ａと可燃性ガスセンサ１２ｄについては、供給されるガスの量が多いガス供給口３１ａ，３１ｄに対応する位置に配置され、ガス量の変動による影響を受けやすく一定量のガスを供給することが望まれる硫化水素センサ１２ｂとＣＯセンサ１２ｃについては、供給されるガスの量が少なく供給されるガス量の変動幅が小さいガス供給口３１ｂ，３１ｃに対応する位置に配置される。このように、本実施形態のガス供給アダプタ２０によれば、ガスセンサの種類に応じた適切な流量のガスを供給することが可能となっている。
【００３４】
また、本実施形態では、警報器１０において、酸素センサ１２ａ、硫化水素センサ１２ｂ、ＣＯセンサ１２ｃ、可燃性ガスセンサ１２ｄの順でセンサを並べ、ガス供給アダプタ２０において、ガスが酸素センサ１２ａ、硫化水素センサ１２ｂ、可燃性ガスセンサ１２ｄ、ＣＯセンサ１２ｃの順で流れるようにしてあることで、警報器１０のコンパクト化と、ガス検知上の要請と、ガス供給アダプタ２０における流路のコンパクト化と、を同時に達成している。
【００３５】
これについて説明すると、まず、上記したように、警報器１０では、回路の仕様上の問題から、コンパクト化のため可燃性ガスセンサ１２ｄを端に置くことが望ましい。これに加え、ガスセンサ１２ａ〜１２ｄに用いるフィルターの関係上、ガスを流通させる順番は、（１）酸素センサ１２ａ、（２）硫化水素センサ１２ｂ、（３）可燃性ガスセンサ１２ｄ（又は（２）可燃性ガスセンサ１２ｄ、（３）硫化水素センサ１２ｂ）、（４）ＣＯセンサ１２ｃの順にする必要がある。また、第１分岐部（分岐部Ｓ１，Ｓ４）と第２分岐部（分岐部Ｓ２，Ｓ３）とが交互に並ぶようにすれば、第１分岐部から分岐して水平方向を向く主流通路７０が第２分岐部で分岐されることで、余分な経路変更を要することなく、第２分岐部から延びる副流通路８１を第１分岐部から延びる副流通路８０と同じ方向を向かせることができ、流路をコンパクト化できる。
【００３６】
そして、本実施形態では、警報器１０において、酸素センサ１２ａ、硫化水素センサ１２ｂ、ＣＯセンサ１２ｃ、可燃性ガスセンサ１２ｄの順でセンサを並べてあるので、可燃性ガスセンサ１２ｄを端に置くことでコンパクト化を可能にしてある。そして、ガス供給アダプタ２０において、連通部５５を設けてＣＯセンサ１２ｃより先に可燃性ガスセンサ１２ｄにガスが流れるようにしてあるので、ガス検知上の要請を満たしている。さらに、酸素センサ１２ａ、硫化水素センサ１２ｂ、可燃性ガスセンサ１２ｄ、ＣＯセンサ１２ｃの順で流れるようにしてあるので、第１分岐部（分岐部Ｓ１，Ｓ４）と第２分岐部（分岐部Ｓ２，Ｓ３）とが流路において交互に並ぶようになっており、流路のコンパクト化が可能になっている。このように、本実施形態によれば、警報器１０のコンパクト化と、ガス検知上の要請と、ガス供給アダプタ２０における流路のコンパクト化と、を同時に達成することができる。
【００３７】
〔その他の実施形態〕
上記の実施形態では、４つのガスセンサ１２ａ〜１２ｄを備える警報器１０に対して使用するガス供給アダプタ２０を例に説明した。しかし、本発明の実施形態はこれに限定されず、本発明に係るガス供給アダプタは、異なる複数の数のガスセンサを有する警報器に対しても、構造を適宜改変して適用可能である。
【００３８】
上記の実施形態では、ガス供給アダプタ２０内においてガスが分岐部Ｓ１（第１分岐部）→分岐部Ｓ２（第２分岐部）→分岐部Ｓ４（第１分岐部）→分岐部Ｓ３（第２分岐部）の順番で流れる構成を例に説明した。しかし、本発明の実施形態はこれに限定されない。例えば、第１分岐部と第２分岐部は必ずしも交互に並ぶ必要はなく、第１分岐部と第２分岐部との順番は適宜改変して適用可能である。
【００３９】
その他の構成に関しても、本明細書において開示された実施形態は全ての点で例示であって、本発明の範囲はそれらによって限定されることはないと理解されるべきである。当業者であれば、本発明の趣旨を逸脱しない範囲で、適宜改変が可能であることを容易に理解できるであろう。従って、本発明の趣旨を逸脱しない範囲で改変された別の実施形態も、当然、本発明の範囲に含まれる。
【産業上の利用可能性】
【００４０】
本発明は、例えば複数のガスセンサに各別にガスを供給するガス供給アダプタに利用することができる。
【符号の説明】
【００４１】
１２ａ〜１２ｄ  ガスセンサ
２０            ガス供給アダプタ
３１ａ〜３１ｄ  ガス供給口
５１            流入用プラグ（ガス流入部）
５２            排出用プラグ（ガス排出部）
６０            ガス流通路
７０            主流通路
８０            副流通路
Ｓ１〜Ｓ４      分岐部
【図１】
0006614959.tif 000002
【図２】
0006614959.tif 000003
【図３】
0006614959.tif 000004
【図４】
0006614959.tif 000005
【図５】
0006614959.tif 000006
【図６】
0006614959.tif 000007
【図７】
0006614959.tif 000008